【手続補正書】
【提出日】平成16年1月30日(2004.1.30)
【手続補正１】
【補正対象書類名】特許請求の範囲
【補正対象項目名】全文
【補正方法】変更
【補正の内容】
【特許請求の範囲】
【請求項１】
ａ）各々がオリゴヌクレオチド二本鎖を備えた複数の部材であって、
（１）電子供与体からの伝導電子を受容するための少なくとも一つの供与体部材と、
（２）電子受容体と連絡して前記伝導電子を吸引する領域を供与するための少なくとも一つの受容体部材と、
（３）前記複数の部材のうち少なくとも一つと交差して少なくとも一つの電場制御接合部を画する少なくとも一つの制御体部材であって、電場制御体と協働して前記接合部において電場を制御する制御体部材と、
を備えた、複数の部材を具備する有機回路素子。
【請求項２】
前記部材の少なくとも幾つかが導電性金属含有オリゴヌクレオチド二本鎖を備える、請求項１の有機回路素子。
【請求項３】
前記供与体部材と電気的に連絡された電子供与体と、前記受容体部材と電気的に連絡された電子受容体と、前記制御体部材と電気的に連絡された電場制御体をさらに備える、請求項２の有機回路素子。
【請求項４】
前記供与体部材と前記受容体部材と前記制御体部材とが交差して前記電場制御接合部を画する、請求項２の有機回路素子。
【請求項５】
前記導電性金属含有オリゴヌクレオチド二本鎖が第一の核酸ストランドと第二の核酸ストランドとを備え、前記第一及び第二の核酸ストランドが骨格に共有結合された複数の窒素含有芳香族塩基をそれぞれ備え、前記第一の核酸ストランドの前記窒素含有芳香族塩基が前記第二の核酸ストランドの前記窒素含有芳香族塩基に水素結合によって連結されており、前記第一及び第二の核酸ストランド上の前記窒素含有芳香族塩基が前記導電性金属含有オリゴヌクレオチド二本鎖の長さ方向に沿って積層した配置で水素結合された塩基対を形成し、該水素結合された塩基対が塩基対間にキレートされた金属陽イオンであって前記窒素含有芳香族の一つに含まれる窒素原子に配位した金属陽イオンを備える、請求項２の有機回路素子。
【請求項６】
前記塩基対間にキレートされた金属陽イオンが塩基対間にキレートされた二価の金属陽イオンを備える、請求項５の有機回路素子。
【請求項７】
前記二価の金属陽イオンが亜鉛、コバルト、及びニッケルからなる群から選択される、請求項６の有機回路素子。
【請求項８】
前記第一及び第二の核酸ストランドはデオキシリボ核酸を備え、前記窒素含有芳香族塩基がアデニン、チミン、グアニン、及びシトシンからなる群から選択される、請求項６の有機回路素子。
【請求項９】
前記窒素含有芳香族塩基のイミンプロトンが二価の金属陽イオンに置き換えられており、前記窒素含有塩基がチミン及びグアニンからなる群から選択される、請求項６の有機回路素子。
【請求項１０】
前記窒素含有芳香族塩基のうち少なくとも一つがチミンを備え、Ｎ３窒素原子を有し、前記二価の金属陽イオンが前記Ｎ３窒素原子に配位されている、請求項６の有機回路素子。
【請求項１１】
前記窒素含有芳香族塩基のうち少なくとも一つがグアニンを備え、Ｎ１窒素原子を有し、前記二価の金属陽イオンが前記Ｎ１窒素原子に配位されている、請求項６の有機回路素子。
【請求項１２】
前記電子供与体が前記供与体部材に電子を供与するように作用可能な電極を備え、前記電子受容体が前記受容体部材からの電子を受容するように作用可能な電極を備える、請求項３の有機回路素子。
【請求項１３】
前記電子供与体が、前記供与体部材に電子を供与することができる電子供与体分子を備え、前記電子受容体が前記受容体部材からの電子を受容することができる電子受容体分子を備える、請求項３の有機回路素子。
【請求項１４】
前記電子供与体分子および前記電子受容体分子が蛍光分子を備える、請求項１３の有機回路素子。
【請求項１５】
前記電場制御体が制御体発色団および蛍光分子からなる群から選択される、請求項３の有機回路素子。
【請求項１６】
前記電場制御体が電極を備える、請求項３の有機回路素子。
【請求項１７】
前記電場制御体が複数の状態を備え、該複数の状態の各状態が前記電場制御接合部にそれぞれ静電電位を発生させるように選択可能である、請求項３の有機回路素子。
【請求項１８】
請求項６の有機回路素子を備えたシステムであって、前記電子供与体に伝導電子を供給し且つ前記電子受容体から伝導電子を受け取るための導電性媒体をさらに備えたシステム。
【請求項１９】
有機回路素子を製造する方法であって、複数のオリゴヌクレオチドをアニーリング及び処理して複数の部材を形成させることを備え、前記複数の部材の各部材は、二本鎖部分を形成するように並列したオリゴヌクレオチドの対を含み、前記複数の部材が、
（ａ）電子供与体からの伝導電子を受容するための少なくとも一つの供与体部材と、
（ｂ）電子受容体と連絡して前記伝導電子を吸引する領域を供与するための少なくとも一つの受容体部材と、
（ｃ）前記複数の部材のうち少なくとも一つと交差して少なくとも一つの電場制御接合部を画する少なくとも一つの制御体部材であって電場制御体と協働して前記接合部において電場を制御する制御体部材とを備える、方法。
【請求項２０】
前記供与体部材と電気的に連絡するように前記電子供与体を配置すること、前記受容体部材と電気的に連絡するように電子受容体を配置すること、および前記制御体部材と電気的に連絡するように前記電場制御体を配置することをさらに備えた、請求項１９の方法。
【請求項２１】
前記アニーリングすること及び処理することが、前記複数のオリゴヌクレオチドをアニーリングすること及び前記複数のオリゴヌクレオチドを処理して、前記供与体部材、前記受容体部材、及び前記制御体部材が交差して前記電場制御接合部を画する配置に前記複数の部材を形成させることを備える、請求項１９の方法。
【請求項２２】
前記アニーリングすることが二本鎖部分を形成するのに有効な条件で前記複数のオリゴヌクレオチドをアニーリングさせることを備え、また前記処理することが前記少なくとも一つの電場制御接合部を形成させるのに有効な条件で前記複数のオリゴヌクレオチドを処理することを備える、請求項１９の方法。
【請求項２３】
前記オリゴヌクレオチドが骨格に共有結合した複数の窒素含有芳香族塩基を備える、請求項１９の方法。
【請求項２４】
前記オリゴヌクレオチドが、アデニン、チミン、グアニン、シトシン、及びウラシルからなる群から選択される窒素含有芳香族塩基を備えたデオキシリボ核酸を備える、請求項２３の方法。
【請求項２５】
前記二本鎖部分が導電性金属含有オリゴヌクレオチド二本鎖部分を備え、前記導電性金属含有オリゴヌクレオチド二本鎖部分が前記オリゴヌクレオチドの第一のストランドと第二のストランドとを備え、前記第一のストランドの前記窒素含有芳香族塩基が前記第二のストランドの窒素含有芳香族塩基に水素結合によって結合しており、前記第一及び第二のストランド上の前記窒素含有芳香族塩基は前記導電性金属含有オリゴヌクレオチド二本鎖部分の長さ方向に沿って積層した配置で水素結合した塩基対を形成しており、該水素結合した塩基対が塩基対間にキレートされた金属陽イオンであって前記窒素含有芳香族塩基の一つに含まれる窒素原子に配位した金属陽イオンを備える、請求項２３の方法。
【請求項２６】
前記塩基対間にキレートされた金属陽イオンが、塩基対間にキレートされた二価の金属陽イオンを備える、請求項２５の方法。
【請求項２７】
前記アニーリングすることが、導電性金属含有オリゴヌクレオチド二本鎖部分を形成するのに有効な条件下で、前記複数のオリゴヌクレオチドを塩基性溶液に供することを備える、請求項２６の方法。
【請求項２８】
前記導電性金属含有オリゴヌクレオチド二本鎖部分を形成するのに有効な条件が、前記導電性金属含有オリゴヌクレオチド二本鎖部分中の芳香族塩基を含有する窒素のイミンプロトンを二価の金属陽イオンに置き換えるのに有効な条件である、請求項２７の方法。
【請求項２９】
前記塩基性溶液が少なくとも７のｐＨを有する、請求項２７の方法。
【請求項３０】
前記塩基性溶液が、約１：１．５乃至約１：２．０の核酸：金属イオン比を有する、請求項２７の方法。
【請求項３１】
前記二価の金属陽イオンが、亜鉛、コバルト、及びニッケルからなる群から選択される、請求項２６の方法。
【請求項３２】
窒素含有芳香族塩基の少なくとも一つがチミンを備え、Ｎ３窒素原子を有し、前記二価の金属陽イオンに前記Ｎ３窒素原子が配位している、請求項２６の方法。
【請求項３３】
前記窒素含有芳香族塩基のうち少なくとも一つがグアニンを備え、Ｎ１窒素原子を有し、前記二価の金属陽イオンに前記Ｎ１窒素原子が配位している、請求項２６の方法。
【請求項３４】
前記処理することが、電場制御接合部を形成させるのに有効な条件下で、前記複数のオリゴヌクレオチドを塩基性溶液に供することを備える、請求項１９の方法。
【請求項３５】
導電性核酸物質中の第一の部位と第二の部位の間の電気信号を制御する方法であって、前記第一の部位と第二の部位の間に介在された前記核酸物質中の第三の部位における静電電位を変動させることを備える、方法。
【請求項３６】
前記変動させることが、前記第三の部位と連絡して電場制御体の複数の状態のうち一つを選択することを備え、前記状態の各々が、前記第三の部位におけるそれぞれの静電電位に対応する、請求項３５の方法。
【請求項３７】
前記電場制御体が蛍光分子及び発色団からなる群から選択され、前記選択することが前記電場制御体を照射することを備える、請求項３６の方法。
【請求項３８】
前記電場制御体が電極を備え、前記選択することが前記電極に外部電位を印加することを備える、請求項３５の方法。
【請求項３９】
前記第一の部位が導電性核酸の電子供与体部材中の部位を備え、前記第二の部位が導電性核酸の電子受容体部材中の部位を備え、前記第三の部位が、前記供与体部材及び前記受容体部材と電気的に連絡した少なくとも一つの電場制御接合部を備え、前記変動させることが、前記少なくとも一つの電場制御接合部の前記静電電位を変動させることを備える、請求項３５の方法。
【請求項４０】
前記少なくとも一つの電場制御接合部が導電性核酸電場制御体部材と電気的に連絡されており、前記変動させることが、前記制御体部材と電気的に連絡する電場制御体の複数の状態のうちの一つを選択することを備え、前記状態の各々が前記少なくとも一つの電場制御接合部におけるそれぞれの静電電位に対応している、請求項３９の方法。
【請求項４１】
導電性核酸物質中の第一の部位と第二の部位の間で電気信号を制御するための装置であって、前記第一の部位と第二の部位の間に介在された前記核酸物質中の第三の部位における静電電位を変動させるように作用可能な電場制御体を備えた装置。
【請求項４２】
前記電場制御体が、前記第三の部位の各静電電位に前記状態の各々が対応するように、複数の選択可能な状態を有する、請求項４１の装置。
【請求項４３】
前記電場制御体が電極を備える、請求項４１の装置。
【請求項４４】
前記電場制御体が、蛍光分子及び発色団からなる群から選択される、請求項４１の装置。
【請求項４５】
前記第一の部位が導電性核酸の電子供与体部材中の部位を備え、前記第二の部位が導電性核酸の電子受容体部材中の部位を備え、前記第三の部位が、前記供与体部材、前記受容体部材、及び前記電場制御体と電気的に連絡した少なくとも一つの電場制御接合部を備える、請求項４１の装置。
【請求項４６】
前記電場制御体を前記電場制御接合部に連結させる制御体部材をさらに備えた、請求項４５の装置。
【請求項４７】
導電性核酸物質中の電気信号を制御する方法であって、制御体部材が複数の部材のうちの少なくとも一つと交差する電場制御接合部における電場制御度を変動させることを備え、前記制御体部材及び前記複数の部材はそれぞれ、オリゴヌクレオチド二本鎖を含み、前記制御体部材と前記複数の部材のうち少なくとも幾つかは伝導性金属含有オリゴヌクレオチド二本鎖を備え、前記複数の部材が、電子供与体から伝導電子を受容するための少なくとも一つの供与体部材と、電子受容体と連絡して前記伝導電子を吸引する領域を供与するための少なくとも一つの電子受容体部材とを備える方法。
【請求項４８】
前記変動させることが、前記電場制御接合部の静電電位を変動させることを備える、請求項４７の方法。
【請求項４９】
前記変動させることが、前記制御体部材を介して前記電場制御接合部と連絡する電場制御体の複数の状態のうちの一つを選択することを備える、請求項４７の方法。
【請求項５０】
データを格納する方法であって、核酸回路素子の電場制御体の少なくとも二つの状態のうちの一つを選択することを備え、前記少なくとも二つの状態の各々が前記回路素子中の電場制御接合部におけるそれぞれの電場制御度に対応し、各電場制御度が各データ値に対応している方法。
【請求項５１】
前記核酸回路素子が複数の部材を備え、そのうちの少なくとも幾つかが導電性金属含有オリゴヌクレオチド二本鎖を備え、前記複数の部材が、電子供与体からの伝導電子を受容するための少なくとも一つの供与体部材と、電子受容体と連絡して前記伝導電子を吸引する領域を供与するための少なくとも一つの受容体部材と、前記複数の部材のうち少なくとも一つと交差して前記電場制御接合部を画する少なくとも一つの制御体部材とを備え、前記制御体部材が前記電場制御体と連絡されており、前記選択することが、電場制御接合部に電場制御度を与えるように前記電場制御接合部を誘導して、データ値を表すことを備えた、請求項５０の方法。
【請求項５２】
前記誘導することが、前記電場制御体の複数の状態のうちの一つを選択することを備え、前記状態の各々が前記電場制御接合部におけるそれぞれの静電電位に対応している、請求項５１の方法。
【請求項５３】
有機データ格納媒体であって、少なくとも二つの選択可能な状態を有する電場制御体を備え、該状態の各々が核酸回路素子の電場制御接合部におけるそれぞれの電場制御度に対応し、各電場制御度がそれぞれのデータ値に対応している、有機データ格納媒体。
【請求項５４】
核酸回路素子をさらに備え、該核酸回路素子は、少なくとも幾つかが導電性金属含有オリゴヌクレオチド二本鎖を含む複数の部材を備え、該複数の部材が、
ａ）電子供与体からの伝導電子を受容するための少なくとも一つの供与体部材と、
ｂ）電子受容体と連絡して前記伝導電子を吸引する領域を供与するための少なくとも一つの受容体部材と、
ｃ）前記複数の部材のうち少なくとも一つと交差して前記電場制御接合部を画する少なくとも一つの制御体部材であって、前記データ値を表すために前記電場制御体と協働して前記接合部に前記電場制御度を与える制御部材とを備えた、
請求項５４の有機データ格納媒体。
【請求項５５】
前記少なくとも二つの状態の各々が、前記電場制御接合部におけるそれぞれの静電電位に対応している、請求項５４の有機データ格納媒体。